(57)【要約】［課題］明らかに、ＣＤとその演奏システムは行き詰まってしまっている。それに代わる正当な録音媒体とその演奏システムの開発が待望されている。何か従来にない新しいものが発明できると好いのであるが、今の所、どこからもその可能性を明示しうるものが出ない。私もその域から出ない。そこで、またもう一度、音溝盤所謂レコードに帰って見ようと、それが何故破綻したかを考察してみた。そこで、従来のＬＰには溝と針の設定に基本的誤算があることを発見し、亦ステレオ録音と言うものは本当に可能なものか疑問を持った。［解決手段］音溝盤（所謂レコード）において、音溝の最も内側の渦の１秒間の走行距離を録音電気信号の最高周波数の２倍で以て割った数値よりも、その音溝盤のプレーヤーのカートリッジのスタイラスの尖端の曲率直径の数値が、小さくなるような関係に立つように、音溝盤の回転数とスタイラスの尖端の太さを決めた、音溝盤とそのプレーヤー。【選択図】図１
2004222215.tif 000002
【特許請求の範囲】
【請求項１】
音溝盤（所謂レコード）において、音溝の最も内側の渦の１秒間の走行距離を録音電気信号の最高周波数の２倍で以て割った数値よりも、その音溝盤のプレーヤーのカートリッジのスタイラスの尖端の曲率直径の数値が、小さくなるような関係に立つように音溝盤の回転数とスタイラスの尖端の太さを決めた、音溝盤とそのプレーヤー。
【請求項２】
「請求項１」におけるカートリッジの一は、音溝を走るスタイラスの尖端の水平振動を伝えるには、レバーを用い、そのレバーの力点にスタイラスを装着しうるようにし、支点は回転しうるようにし、作用点には、そこを二股にして、その間に永久磁石をスタイラスの振動と並行になるように設け、その永久磁石にコイルを嵌めておくようにして、スタイラスの尖端の振動をコイルから電気信号として取り出しうるようにした、レバータイプカートリッジ。
【請求項３】
「請求項２」におけるスタイラス関係においては、スタイラスはＬ字形にし、その片方の先端を尖らせ、他端を底辺の水平な逆三角形にし、カートリッジのレバーの先端部の上側に逆三角形の溝を彫り、その溝にスタイラスの尻端部を填めて、それを締め付けるカバー板を、その溝のある上面の左右の端に、その板の片側は蝶番を設ける的に取り付け、他側は、その上面の他端に出っ張りを設けて、それに引っ掛かってパチット填って止まるようにした、そう言う関係に立つスタイラスとカートリッジ。
【発明の詳細な説明】
【０００１】
［発明の属する技術分野］
本発明は、オーディオの所謂レコード即ち音溝盤とそのプレーヤーに関する発明である。
【０００２】
［従来の技術］
近々までは、オーディオやビデオの記録媒体はＣＤやＤＶＤなどの光学対応記憶媒体で、それ以前の音溝盤所謂レコードに取って替っていた。しかし、ＣＤは音波を自然のままで記憶するのではなく、デジタル化即ち０と１の記号で以て記憶しようと言うのであるから、然もそれ以前の３０ｃｍ直径のＬＰの記憶が片面２７分くらいであるのに対して、１２ｃｍ直径のＣＤは片面だけで約６０分を記憶しようと言うのであるから、ＬＰの１秒間の最高周波数４０００周波に対するＣＤのデータビットレートは２０３万３８００ビットにもなり、そのビットの長さは０．０００５９ミリと言う極超微少となり、ＬＰが最短で１秒間に約２０９ミリの速度であるのに対し、ＣＤは１２００〜１４００ミリにもなる。その結果記憶トラックの細さは、ＬＰが１ミリ当たり１０本であるのに対し、ＣＤは６００本にもなる。この細いビットのトラックを溝と言うガイドなしに、光線の照射の反射でなどる（トラッキング）と言うのであるから、それは物凄く大変なことで、現在技術では、一般ユーザー向けにはとても開発できるものではない。
例えば、トラックに当てる光は、０．０００８３ミリにも絞らなくてはならないが、そう言うレンズは通常技術では殆ど製作できないし、若し出来たとしても、それをディスクの微妙な波立ちに対しても、各ビットに対して一定の距離を保って常に一定の焦点を結ぶように自動調節しなくてはならないし、そしてそれを保ちながら、ビットの並びである渦トラックを外れないように、何らかの方法でそのトラックを認識して、自動調節しながら回転させなくてはならない。
そして、ディスクは、０．０００５９ミリ×０．０００８３ミリの突起の渦にプレス成型できる金型を作り、プレスしなくてはならない。然もその突起の表面を光をよく反射するようにメッキしなくてはならない（「ＣＤプレーヤー入門（コロナ社・１９８６年）」）。とてもではないが、通常技術で大衆商品的に、ディスクもそのプレーヤーも製造できるものではない。どうしても、販売となると、何らかの瞞かしをやらなくてはならなくなる。私は、ＣＤを求めた人に一々電波で音声を送っているのではないかと思っている。
若しそうだとすれば、大衆的に種々品を変えて販売できるものではなく、特定の曲歌を特定のユーザーに販売するしかなくなる。
そこで、私は、上述したように、記憶条件がＣＤより遙に緩やかではあるが、ＬＰに帰って、そう言う欺瞞性のない音溝盤とそのプレーヤーを出したいと考えた。
昔は、ＬＰは瞞かしのないものだと思っていたが、先ず、一本の音溝の左右で以て二台のスピーカーを鳴らすべくステレオ録音が本当に可能なのであろうかと言う疑問を持った。同一の瞬間に一本の針で左右の異なった波形を同時に電気信号として取り出すことが果たして出来るであろうか。私の理解力では、それが可能だとはどうしても思えない。
そこで、私はＬＰではステレオ録音は止めて、モノラルにし、二台のスピーカーが着けたければ、左右同時に同じ音声を出すようにすれば好いと考えた。
そして、カセットテープを考えていて解かったのであるが、ＬＰの針走速は最低２０９ミリ／秒（＝１２０ミリ×π÷６０秒÷３３．３３／秒）であるのに対して、テープ速度は４７．６ミリと極めて短いので、果たして、これで満足な音楽録音が出来るのであろうかと、疑問を持った。
それなら、ＬＰの２０９ミリ／秒の中に入る波の大きさはどのくらいかを計算してみた。
ＣＤの周波数特性は２０〜２０ｋヘルツだとある。
私は、前の出願明細書（１４・８・３０出願，特願２００２−２９６７７０，「等線速度レコードシステム」）にも記したのであるが、私の高校時代の参考書「要訣物理（文英堂・１９５３年）」によると、人が聞くことの出来る範囲は１６〜２００００ヘルツであるが、楽器は３０〜４０００ヘルツ、声楽は８０〜１０００ヘルツであるとある。これからすると、一般の音楽用記憶媒体とそのプレーヤーの周波数特性は３０〜４０００ヘルツで宜しいことが判る。
従って、音波は山谷で一波であるから、２０９ミリを８０００で割った長さが最少の音溝の振動の彫波と言うことになる。即ち０．０２６１ミリである。
尚、その伝で行くと、カセットテープに記憶される一磁石の長さは０．００５９５ミリ即ち１０００分の６ミリとなり、レコードの１０００分の２６ミリの４．３分の１でしかない。これではちゃんとした録音は出来ないと思われる。私は１９０．５ミリ／秒のカセットテープとそのプレーヤーを是非開発したいと思っている。
また、磁気テープについて、かねてから、疑問に思っていることがある。それは、それに用いられている磁性体が酸化鉄や酸化クロムなどの一時磁性体であって、永久磁性体ではないと言う点である。「現代商品大辞典（東洋経済新報社・１９８６年）」によると、１８９８年にデンマークの科学者ファルデマール・ポールセンが鋼線式磁気録音機による磁気記録に成功し、そして、１９３０年代の後半に磁気テープが開発されたとある。これから解かるように、磁性体は最初鋼鉄が用いられたのである。しかし、どこでどうなったのか判らないが、同書ではテープになってこの方ずっと軟鉄や軟コバルトや軟クロムが使われてきたことが判る。そして、１９５６年にアメリカのアンペックス社から放送用４ヘッドＶＴＲが発表されたとある。このアンペックスの磁気テープは鋼鉄であったのか軟鉄であったのか判らないが、１９５８年公開されたソニーのものからの日本ものには鋼鉄などの永久磁性体が使われて来た形跡は同書からは認められない。
音溝盤同様磁気テープも本物が開発されなくては、音楽産業も放送事業も全くと言ってよいほど成り立たない。是非とも磁石鋼のテープを開発しなくてはならない。酸化炭素鋼と言うものが開発でき、粉体化できることを祈っている。
さて、「ＣＤプレーヤー入門」を見て知ったのであるが、ＬＰのスタイラス（レコード針）の曲率半径は０．０２５４ミリのものが基準とされたのだそうである。即ち、針の尖端の直径が０．０５０８ミリのものを標準装備していたのである。これでは、先記の０．０２６１ミリの振動彫波には全然填らない。即ち、
０．０５０８ミリ×８０００／秒＝４０６．４ミリ／秒、６０秒÷３３．３３回転＝１．８秒／回転、４０６．４ミリ／秒×１．８秒／回転＝７３１．５９ミリ／回転、７３１．５９ミリ÷π＝２３３ミリ、詰まり、３００ミリ直径の内２３３ミリを超えないと、針が振動彫波に填らなかったと言うものであって、理論的に使用出来るものでなかったことが判る。従って、もう、その時代から今のＣＤ同様正当には使うことが出来ず電波のお世話になるものであったのであろう。私は学生時代、下宿の友達がＳＰレコードを手回しの非電蓄音器で聴いていたのを知っている。レコードは確かに鳴ることは間違いない。従って、電蓄にならないことはない。音溝に適したスタイラスとそのカートリッジさえ巧く開発できれば、ことは間違いなく成る。
スタイラスはレコードを一枚聴く毎に取り替えるのは面倒である。出来れば、半永久的に使えるものが欲しい。自然界で最高の硬度のものはダイヤモンドである。しかし、それを鋭利に尖らすことはなかなか大変で、前記のような尖度に尖らすのがやっとらしい。そこで、私はダイヤの次に硬い鋼鉄針を用いるのが正当なやり方だと考えた。
そして、レコードの材質も出来るだけ摩擦の低いものが望まれる。
【０００３】
［発明が解決しようとする課題］
ＬＰより前のＳＰ盤には、曲率直径が０．１２７ミリの鋼鉄製のスタイラスが用いられていた。１９４８年までのことで、その当時はそのくらいしか針を尖らすことが出来なかったのであろう。
しかし、今日では、鋼鉄針を尖らす技術も焼きを入れて硬くする技術も約５５年前のそれとは格段に進歩しているに違いない。
そこで、私は、ＬＰのような回転数の遅いレコードにも鋼鉄針を使いたいと考えた。
ダイヤ針も鋼鉄針も使用していると、必ず摩耗する。従来のＬＰ用のダイヤ針は時々取り替えるべきことが説明されておらず、私なども半永久的に使えるものと思っていた。
鉄鋼針はダイヤ針より摩耗しやすいので、取り替える頻度は多くなるが、それに耐える工夫をすれば、遙に製造コストが安いので、得であろう。
そこで、鋼鉄針は、曲率半径で０．０１２ミリくらいには尖らせたい。面積にして、０．０００４５２３ミリ２即ち０．０２１３ミリ四方である。果たしてどれくらいの使用時間に耐えうるか、私は３０分位は保つとよいがと思っている。レコードの原料は従来、ポリ塩化ビニルと酢酸ビニルの重合物であったが、それがもっと硬度の硬い摩擦の軽い摩耗の少ないものになると好い。特に、音溝の底がガラスの表面のように硬くて滑らかになることが望まれる。そのためには、それには最終成型金型のスタンパーの山脈を平滑に研磨しておくことが大切である。
【０００４】
［課題を解決するための手段］
そこで、本発明は、「特許請求の範囲」のように纏めた。
【０００５】
［発明の実施の形態］
これも、「特許請求の範囲」の通りである。
【０００６】
［発明の効果］
本発明によって、音溝盤は、瞞かしのＣＤに代って、正当な録音媒体として音楽愛好家にも作詞家・作曲家にも歌手にも即ち音楽産業に大歓迎を受け、停滞しきっているその業界に大いなる希望と活力を与え、戦後の一時期のような繁栄を取り返さすに違いない。
今日の音楽界の特徴は、各ジャンルに亘るバラエティーがなく、また特化されたジャンルにおいては未熟性を新鮮さとして売らざるを得なくなっていることである。業界のあらゆる分野の人にもっと広く深くふるきをたずねて新しきを知りうるレコードを提供したいと思っている。必ずやそこから、革新が生まれ、音楽産業は曾ってない繁栄を迎えることになろう。
私は思うのであるが、国民の一人一人が一日に３０円のレコード代を支出するとなると、年間１兆３５７８億円に達する。５０円ならば、２兆２６３０億円に登る。
よく判らないが、現在のＣＤなどの売上は、国内で、１千億円くらいではないかと思われる。また、アメリカでも新しい人気歌手が生まれたと言う話は聞かない。アメリカでもレコード業界は惨たる状態にあるようである。この世界的なレコード業界の不況は、一に確固たる信頼の置ける一般市民むけ録音媒体がなくなってしまっているからである。
本発明によって、片面一曲入りのシングル盤から多曲入りの３０センチ盤まで種々なものが提供できることになる。
今、シングル盤はどのくらいの直径になるか見てみると、音溝の最内渦直径を１２０センチとし、片面の演奏時間を５分とすると、
６０秒÷３３．３３回転＝１．８秒／回転
５分×６０秒／分÷１．８秒／渦＝１６６．６７渦
１６６．６７渦÷１０渦／ミリ＝１７ミリ
１７ミリ＋６０ミリ＝７７ミリ
即ち、直径１６センチ盤となる。
そして、この回転数の３０センチ盤を「等線速度盤（ＣＬＶ＝コンスタントリニアベロシティー）」にすると、どのくらいの直径になるかと言うと、
（ｘπ÷２０９．４４ミリ／秒＋１．８秒）÷２×２０９．４４／秒×（ｘ−１２０ミリ）÷２×１０／ミリ＝３２９８６８ミリ
ｘ＝２３７．４９ミリ
即ち、２４センチ盤となる。大分小さくなるので、行く行くは、このＣＬＶに移行して行きたいと思っている。
従来、レコードプレーヤーにはラジオを組み込むことが常識となっていたが、そのラジオは、現在の放送システムで、果して広域に多数の聴取者を持ちうるものなのか、研究すればするだけ、疑問が生じてくる。
何しろ、電波は送信アンテナからの距離の２乗に反比例するので、広島第一放送（２０ｋｗ）のアンテナから３０キロの所に住んでいる私の所では、
２００００ｗ÷（３００００ｍ）２＝０．００００２２２ｗ
に減衰してしまう。これでは全く受信出来ない筈であるが、実際にはよく聞こえている。ラジオやテレビまで瞞かしのシステムであったかと、電波の悪貨振りに呆れている。
ところで、この草稿を書いていて、テレビニュースで知ったのであるが、ＮＨＫなどが地上波デジタルテレビのアンテナを東京タワーに設置し、関東一円に放送すると言う。アンテナからの球状の電波輻射による上記のような距離の２乗に反比例する減衰現象を緩和すべく、そこではアンテナの輻射をなるべく球状ではなくリング状にして発信すると言う。そこで、その発信は上下に全く広がりのない水平なものとして見てみると、今アンテナの半径を３メートルとし、到達先を５０キロと１００キロとした場合は、
３ｍ×２×π÷（５００００ｍ×２×π）＝０．００００６
３ｍ×２×π÷（１０００００ｍ×２×π）＝０．００００３
今、ＮＨＫが５０ｋｗで発射するとすれば、
５００００ｗ×０．００００６＝３ｗ
５００００ｗ×０．００００３＝１．５ｗ
となり、この限りでは、アンテナ如何によっては受信出来ないと言うことはなさそうである。
しかし、このように水平に発射すると、アンテナの近くの住民には大変な電波公害をもたらすことになる。
３ｍ×２×π÷（５００ｍ×２×π）＝０．００６
５００００ｗ×０．００６＝３００ｗ
即ち、５００メートルのところの住民は一日中電子レンジの半分に当る３００ｗの高周波を受けることになる。牛乳２００ｃｃは２分間で１００度Ｃに沸騰する。人体における水分は成人で体重の約６０％だそうである（「最新人体生理学入門（朝倉書店・２０００年）」）。
いま、牛乳は１０度Ｃから１００度Ｃに、それに対して人体は３６度Ｃから４０度Ｃに上昇したとすると、体重６５キロ、従って水分量３９キロでは、
２００ｇ×９０ｄｅｇ／６００ｗ×２分＝３９０００ｇ×４ｄｅｇ／３００ｗ×ｘ分、
２００×９０×３００ｘ＝３９０００×４×６００×２
１８０００×３００ｘ＝１８７２０００００
３００ｘ＝１０４００
ｘ＝３４．６７分間
即ち、３４．６７分間で肺炎に掛かって高熱を発した状態になる。
それでは、１ｋｍ、５ｋｍ、１０ｋｍ、２０ｋｍ、３０ｋｍ、５０ｋｍ、１００ｋｍと見てみよう。上記の計算式の簡略化したものを用いると、
３ｍ÷１０００ｍ×５００００ｗ＝１５００００ｍｗ÷１０００ｍ＝１５０ｗ
１５０ｘ＝１０４００、ｘ＝５９．３３分間
１５００００ｍｗ÷５０００ｍ＝３０ｗ
３０ｘ＝１０４００  ｘ＝３４６．６７分間＝５．７８時間
１５００００ｍｗ÷１００００ｍ＝１５ｗ
１５ｘ＝１０４００  ｘ＝６９３．３３分間＝１１．５６時間
１５００００ｍｗ÷２００００ｍ＝７．５ｗ
７．５ｘ＝１０４００  ｘ＝１３８６．６７分間＝２３．１１時間
即ち、１キロ離れたところでは一時間足らずで肺炎に掛かり、１０キロでも１２時間足らずで、２０キロでも２３時間余りで、肺炎のような高熱を病むことになる。
これは、正に電波公害としか言いようがなく、大出力の電波放送と言うものは、今一度科学的に真撃に検討して見なくてはならない。私などはどこから来るのか、年から年中電波に当たり通しであるので、常に水分と塩分を補うべきことに気付き、それに努めている。
尚、上記の計算は、電波が全く水平に何ら上下に広がりを持たず発射された場合であった。そこで、５０キロ先で１０００メートルの上下の広がりを持つよう１メートルの上下間隔のアンテナから発射された、可なり実際に近いと思われる場合で見てみよう。
３ｍ×２×π×１ｍ÷（５００００ｍ×２×π×１０００ｍ）＝３ｍ×１ｍ÷（５００００ｍ×１０００ｍ）＝０．０００００００６
５００００ｗ×０．０００００００６＝０．００３ｗ
０．００３ｘ＝１０４００  ｘ＝３４６６６６７分間＝５７７７８時間
即ち、５０キロ離れたところでは、電波公害の問題は全くなくなるが、それと同時に、受信電力が０．００３ワットと極めて小さくなり、受信は全く出来なくなる。ところが、１キロのところでは、
５００００ｍ／１０００ｍ＝１０００ｍ／ｘ  ｘ＝２０
３ｍ×１ｍ÷（１０００ｍ×２０ｍ）＝０．０００１５
５００００ｗ×０．０００１５＝７．５ｗ
７．５ｗ＝１０４００  ｘ＝１３８７分間＝２３．１１時間
即ち、２３時間余りで高熱病に掛かることになる。
では、新生児の赤ちゃんではどうかと言うと。赤ちゃんの体重を今２７００グラムとすると、水分の占める率は７７％と言われている（「最新人体生理学入門１）ので、その水分量は２０７９グラムである。その赤ちゃんはそのアンテナから１キロのところではどのくらいの被害を受けるかと言うと、
１３８７分×２０７９／３９０００＝７４分間
即ち、１時間１４分で大変な高熱を病むことになる。では、４キロではどうであろうか、
５００００ｍ／１０００ｍ＝４０００ｍ／ｘ  ｘ＝８０ｍ
３ｍ×１ｍ÷（４０００ｍ×８０ｍ）＝０．０００００９３
５００００ｗ×０．０００００９３＝０．４６９ｗ
０．４６９ｘ＝１０４００  ｘ＝２２１７５分
２２１７５分×２０７９／３９０００＝１１８２分＝１９時間４２分即ち、２０時間足らずで、赤ちゃんは高熱病を発することになる。このように、相当な加害性が生じるにも拘らず、その受信電力たるやたったの０．４６９ワットしかなく、殆ど受信不可能である。
今、１ワットを受信可能なぎりぎりの線とすれば、アンテナを出た電波は何メートル先でその１ワットになるのであろうか。５０キロ先で１０００メートルの拡散をするのであったが、ｙメートルではｘメートルの広がりをもつとすれば、
５００００ｍ／１０００ｍ＝ｙ／ｘ  ｙ＝５０ｘ
そこで、アンテナの発射面積とｙ地点の受信可能面積との比は、
３ｍ×１ｍ÷（ｙ×ｘ）  ３ｍ２÷（５０ｘ×ｘ）  ３ｍ２÷５０ｘ２  ０．０６ｍ２／ｘ２
５００００ｗ×０．０６ｍ２／ｘ２＝１ｗ
３０００ｗｍ２＝１ｗｘ２  ｘ２＝３０００ｍ２  ｘ＝５４．７８ｍ
ｙ＝５０ｘ＝５０×５４．７８ｍ＝２７３８．６１ｍ
即ち、アンテナから僅か２７３９メートルのところで５０キロワットの発射電波はたったの１ワットに減衰してしまう。そこから先は殆ど受信可能でない。
それでも、球的に全方向に輻射する場合、
５００００ｗ÷（２７３９ｍ）２＝０．００６６６
に比べれば、１／０．００６６６＝１５０倍も受信電力は大きい。
それは、１メートルの幅で発射された電波が５０キロ先で１０００メートルに拡散するのであったから、その拡散率で１メートル幅まで広がるのにｘメートル要するとすると、
ｔａｎθ＝１／２÷ｘ、ｔａｎθ＝１０００／２÷（ｘ＋５００００）
０．５／ｘ＝５００／（ｘ＋５００００）
ｘ＝５０．０５ｍ
ｔａｎθ＝５００／（５０．０５＋５００００）＝０．００９９９
θ＝０．５７２４
即ち、このように、電波の発射角度は１度にも満たないにも拘らず、大変な減衰を宿命づけられている。
従って、電波とは手に負えるものではなく、デジタル化などいろいろ工作して見ても、その手に負えない代物から開放されることはない。勿論、これはテレビのみならずラジオの電波にもそっくり言えることである。
従って、家庭用のラジオやテレビは今後全て有線に替って行くものと思える。その場合、現在の無線の周波数はそのまま使うのではなく、１０キロヘルツくらいに落として、然も電話のような低圧ではなく相当な高圧にして、電磁波の輻射損失と抵抗損失を避けたいと考えている。そして、出来ることなら、このラジオ有線放送媒体に電灯線を以てし、電源スイッチを入れると、番組が聞けるようにしたい。
このように、ラジオが有線化すると、移動体における受信が出来なくなる。道路上に成るべく道路幅員だけの電波束を進行方向から発射することなど考えられるが、曲りの少ない高速道路は兎も角一般道路では無理であろう。
車の運転には、何らかの刺激がないと、自然に眠くなってしまう。好みの音楽や音声ニュースが必要に応じて聴けると宜しい。ラシオが最も手っ取り早い方法であるが、どうも怪しい代物であるので、音楽やニュースなどのカセットテープレコードが手軽に入手でき、カープレーヤーで問題なく聴けるようになることが是非必要である。
私は、「テレデリバリー（１４・４・２４出願、特願２００２−１６２１７８）」で「サーキットレコード」と「サーキットニューステープ」と「サーキットテレビ」を提案しているが、それらで移動体向けのテープレコードを販売したいと考えている。このテレデリバリーが低周波高圧送信法で問題なく行なえることを発案出来たので、必ず物になると思っている。是非ＮＴＴには社運を掛けて取り組んで貰おうと思っている。
人の生活の時間は一日２４時間と不変である。車を取って見ても解かるように、この２４時間を４８時間にも６０時間にも使用価値を高めるのは総てに亘る文明である。その文明の維持発展の源はエネルギーである。従って、エネルギーこそ人間生活の時間を自然現象を超えて拡大しうる源泉であると言える。
石油の枯渇は避けられない。これからは石炭のアルコール化を進めて、それを補って行くことになろうが、それも何れは終にはなくなってしまう。
こう考えると、今後の生活文明の維持発展は絶望的に思え、過ぐるオイルショックの折に悲叫されたように、太陽と空気と大地と水だけに頼る原始文明に逆戻りするしかなくなる。
その悲叫は世界的な原子力開発によって収まったかに見えたが、今や原子力に全く採算性がないことが認識させられ、恐らく採算ラインでは核燃料が入手できなくなったのであろう、日本でも現在１１基もが休止の状態にある。又もや、石油の枯渇化が人類の将来を暗くしているとの恐怖感が人類を支配し始めている。人類は将来の長きに亘ってその生存を保障するためには、何が何でもどうしても、永遠のエネルギーである太陽エネルギーを人工的に活用することを確実にしなくてはならない。
この可能性の確信こそ人類の毎日に平和を約束するものである。私は「太陽熱風力発電法」を２０年近い歳月を掛けてやっと完成できたのではないかと思えるところにある。
元日のテレビで北アフリカや中東やオーストラリアなどの雲一つない青空の下の広大な荒地を見ると、その文明の定着しなかった大地に今後の人類文明の維持発展の源を発見することが出来る。一時も早く、太陽エネルギーを物にして、現在の行止りを開放する見通しを立てたい。
若し、その見通しが確立すれば、民主主義と言う選挙主義が地上に定着してこの方、財政の借金主義の下で、その支配権を手段を選ばず争奪しさえすれば好いと言う非人道的犯罪的主義の勢力が、労働を否定して即ち文明を耕さないで、他人の過去の遺産を食い潰しさえすれば好いとする、政治施策から、その下でも健全に勤勉に生きようとした人たち即ち人類は必然的に開放されることになろう。一時も早く、そのエネルギーの安全保障の目安と治安の回復に、政府は努力して貰いたい。この施政が実行されれば、抑圧され続けてきた消費活動は、全くの財政金融出動なくして、大いに緩和し、経済活動全般は十分に活力を取り戻すに違いないと確信している。しかし、今日まで同和水平主義的思想（自力で這い上がろうとする夢と努力を摘み取ろうと言う思想）に依存し続けてきた、特に電子文明産業は、大思想改革を断行しない限り、即ち「人間とは如何に在るべきか」を哲学した存在にならなくては、真の活況を希望することは不可能であろう。
私は、その電子文明産業に多くの分野において本発明のような理想的な夢を与えている。電子文明産業は決して貴族文化化のものではない。貴族文化を科学文明で以て、大衆的文化に創り変えるところに生存性がある。
音楽産業もその電子文明産業に乗ってこそ発展高度化の夢が在る。瞞かしのない電子文明産業の堅実な進歩こそが大衆的に広く絶対的に要求されている。
音楽産業はその要求される電子文明産業の脱欺瞞化を確信し、基礎芸術からの学習に勇猛邁進しなくてはならない。
本発明の実用化は、先に述べたように、それを助成するものであり、音楽のあらゆるジャンルの古典を大々的にレコード化したい。それはこれからの音楽産業の大輪の開花を約束するものと信じて疑わない。
それぞれの芸術家は個人的に著作権で十分保護されている。しかし、それら芸術家を電子に乗せるのは、大小のそれぞれの企業家である。その企業家に期待したいことは、これまでの同和水平化社会のように、総てを財政に依存しようとするのではなく、それぞれの企業家自身が、最低限でよいから、芸術家の育成に責任を以て援助を与えるべきである。そこにこそ、水平主義による即ち財政依存主義から生じる才能の個人的向上の集団的抑圧化の排除が可能となり、文化に進歩が約束されることになる。
その約束行動を大資本にも呼びかけたい。多くの著作権者の育成開花に、ビルゲイツ氏や出井氏などの老練に、新たな夢を抱いてもらうよう期待して見たい。
【図面の簡単な説明】
【図１】本発明のレバータイプカートリッジの機能的説明図である。
【図１】
2004222215.tif 000003